(57)【要約】    【課題】      床先行工法で二重床を構築し、間仕切り等の荷重を支え、長年使用しても床面のレベルを維持すること。    【解決手段】  アジャスト式の根太ユニット１０５を、コンクリートスラブ１０４上の間仕切り１０６等の重量物が置かれる位置に配置する。所定のピッチで防振アジャスト式の支持脚１０９をコンクリートスラブ１０４上に配置し、支持脚１０９の床パネル載置面１１０の高さを、際根太１０２及び根太ユニット１０５の床パネル載置面１０７、１０８と揃えるようにレベルを調節する。際根太１０２、根太ユニット１０５及び支持脚１０９の床パネル載置面１０７、１０８、１１０上に床パネル１１１を敷設する。  【選択図】      図１
2005290708.tif 000002
【特許請求の範囲】
【請求項１】
床パネルの敷設後に間仕切りを立設する床先行工法で構築される二重床構造であって、
根太と前記根太にボルトにて螺合する複数の台座付棒状脚部とからなり、基礎床面上に配置される根太ユニットと、
受け板と前記受け板にボルトにて螺合する１の台座付棒状脚部とからなり、前記基礎床面上に配置される複数の支持脚と、
前記根太ユニットの根太及び前記支持脚の受け板の上に敷設される床パネルと、から構成され、
前記根太ユニットは、重量物が置かれる位置に配置されることを特徴とする二重床構造。
【請求項２】
前記根太ユニットは、少なくとも前記間仕切りが立設される位置に前記間仕切りと略並行に配置されることを特徴とする請求項１記載の二重床構造。
【請求項３】
前記根太ユニットの棒状脚部のボルト径を、前記支持脚の棒状脚部のボルト径よりも太くすることを特徴とする請求項１又は請求項２記載の二重床構造。
【請求項４】
前記根太ユニットの台座は、前記基礎床に固定されることを特徴とする請求項１から請求項３のいずれかに記載の二重床構造。
【請求項５】
床パネルの敷設後に間仕切りを立設する床施工方法であって、
根太と前記根太にボルトにて螺合する複数の台座付棒状脚部とからなる根太ユニットを、基礎床面上の重量物が置かれる位置に配置する第１工程と、
受け板と前記受け板にボルトにて螺合する１の台座付棒状脚部とからなる支持脚を、前記基礎床面上に配置する第２工程と、
前記根太ユニットの根太及び前記支持脚の受け板の上に床パネルを敷設する第３工程と、を具備することを特徴とする床施工方法。
【請求項６】
前記第１工程では、少なくとも前記間仕切りが立設される位置に前記間仕切りと略並行に前記根太ユニットを配置することを特徴とする請求項５記載の床施工方法。
【発明の詳細な説明】
【技術分野】
【０００１】
本発明は、マンション等の建築構造物の二重床構造及び床施工方法に関する。
【背景技術】
【０００２】
近年、アパートやマンションなどの集合住宅において生活騒音が問題化してきており、遮音効果のある二重床構造が注目されている（例えば、特許文献１）。二重床構造は、コンクリートスラブ（基礎床）と床パネル（パーチクルボード）との間に防振アジャスト式の支持脚を介在させることによって、コンクリートスラブと床パネルとの間に空間を形成し、遮音効果の向上を図るものである。
【０００３】
以下、従来の二重床構造の床施工方法について、図５を用いて説明する。なお、図５の方法では、床施工工事を行う前に間仕切り１を立設する工事が行われる。
【０００４】
まず、壁又は間仕切り１の下地の必要な床高の位置に際根太２を釘等で横から固定し、それを支持する束３を、適当な間隔でコンクリートスラブ４と際根太２の間に挿入して固定する。次に、所定のピッチで防振アジャスト式の支持脚５をコンクリートスラブ４上に配置し、支持脚５の床パネル載置面６の高さを際根太２の床パネル載置面７と揃えるように支持脚５のレベルを調節する。最後に、支持脚５、際根太２の床パネル載置面６、７上に床パネル８を敷設し、際根太２及び支持脚５に床パネル８を釘等で固定する。
【０００５】
以上の工程により、二重床が、間仕切りによって仕切られた部屋毎に構築される。なお、二重床を施工後、間仕切り１には、石膏ボード等の壁材９が取り付けられ、床パネル８の上には、図示しない内装用のフローリング等の床材が敷かれる。
【０００６】
しかしながら、上記従来の二重床構造の床施工方法には、以下の問題がある。すなわち、壁及び間仕切りがコンクリート等の硬いものである場合には、際根太の取り付けを簡単に行うことができず、しかも間仕切りによって仕切られた部屋毎に高さ調節を行わなければならないため、高さ調節に非常に手間がかかってしまう。また、間仕切りに固定された際根太に床パネルを固定するため、そこを介して振動が伝達し、階下へ床衝撃音を伝えてしまう。さらに、長年の使用の結果、束が湿気、腐敗により変形し、床鳴りが起きてしまう。
【０００７】
そこで、これらの問題を解決し、施工を効率的に行うために、図６に示すように、二重床を敷設した後に間仕切りを立設する床施工方法（以下、「床先行工法」という）が考えられている。この床先行工法によれば、際根太を壁にのみ取り付ければ良いので、床面の高さ調節を容易にして工期の短縮、コストダウンを図ることができ、階下への床衝撃音、床鳴りを低減することができる。また、床先行工法によれば、作業者は、平らな床面上で間仕切りの立設工事を行うことができるので、作業性、安全性の向上を図ることができる。
【特許文献１】特開２００１−２７９９１２号公報
【発明の開示】
【発明が解決しようとする課題】
【０００８】
しかしながら、図６に示した従来の床先行工法は、支持脚５を所定のピッチでフロア全体に配置して床パネル８を載置するものであり、荷重を点で支える構造であるため、長年の使用の結果、間仕切り１あるいは間仕切り近くに置かれた家具１０等の荷重がかかる部分の床が沈み込んでしまうという問題が起こる。この床面の歪みにより、間仕切り１の上下移動及び横揺れが発生し、これにより石膏ボード９にひび割れが発生する可能性が高くなる。さらに、床面の歪みにより、間仕切り１、ドア枠１１等の接続部が擦れ合って異音が発生してしまう。
【０００９】
本発明はかかる点に鑑みてなされたものであり、床先行工法で構築し、間仕切り等の荷重を支え、長年使用しても床面のレベルを維持することができる二重床構造及び床施工方法を提供することを目的とする。
【課題を解決するための手段】
【００１０】
かかる課題を解決するため、本発明の二重床構造は、床パネルの敷設後に間仕切りを立設する床先行工法で構築される二重床構造であって、根太と前記根太にボルトにて螺合する複数の台座付棒状脚部とからなり、基礎床面上に配置される根太ユニットと、受け板と前記受け板にボルトにて螺合する１の台座付棒状脚部とからなり、前記基礎床面上に配置される複数の支持脚と、前記根太ユニットの根太及び前記支持脚の受け板の上に敷設される床パネルと、から構成され、前記根太ユニットは、重量物が置かれる位置に配置される構成を採る。
【００１１】
また、本発明の床施工方法は、床パネルの敷設後に間仕切りを立設する床施工方法であって、根太と前記根太にボルトにて螺合する複数の台座付棒状脚部とからなる根太ユニットを、基礎床面上の重量物が置かれる位置に配置する第１工程と、受け板と前記受け板にボルトにて螺合する１の台座付棒状脚部とからなる支持脚を、基礎床面上に配置する第２工程と、前記根太ユニットの根太及び前記支持脚の受け板の上に床パネルを敷設する第３工程と、を具備する方法を採る。
【発明の効果】
【００１２】
本発明によれば、床先行工法で二重床を構築した際に、間仕切り等の荷重を支えるのに十分な強度を有し、長年使用しても床面のレベルを維持することができる。
【発明を実施するための最良の形態】
【００１３】
以下、本発明の実施の形態について図面を参照して詳細に説明する。なお、本実施の形態の二重床を施工するに際し、間仕切りが立設される位置は予め設計により決められているものとする。
【００１４】
図１は、本発明の一実施の形態に係る二重床構造を示す斜視図である。本実施の形態に係る二重床構造では、まず、壁１０１の必要な床高の位置に際根太１０２を釘等で横から固定し、それを支持する束１０３を、適当な間隔でコンクリートスラブ１０４と際根太１０２の間に挿入して固定する。
【００１５】
次に、アジャスト式の根太ユニット１０５を、コンクリートスラブ１０４上の間仕切り１０６等の重量物が置かれる位置に配置し、根太ユニット１０５の床パネル載置面１０７の高さを際根太１０２の床パネル載置面１０８と揃えるようにレベルを調節する。なお、根太ユニット１０５は、少なくとも間仕切り１０６が立設される全ての位置に、間仕切り１０６と略並行して配置される。また、根太ユニット同士を釘等で連結し、耐荷重性の向上を図っても良い。
【００１６】
次に、所定のピッチで防振アジャスト式の支持脚１０９をコンクリートスラブ１０４上に配置し、支持脚１０９の床パネル載置面１１０の高さを、際根太１０２及び根太ユニット１０５の床パネル載置面１０７、１０８と揃えるようにレベルを調節する。
【００１７】
最後に、際根太１０２、根太ユニット１０５及び支持脚１０９の床パネル載置面１０７、１０８、１１０上に床パネル１１１を敷設し、際根太１０２、根太ユニット１０５及び支持脚１０９に床パネル１１１を釘等で固定する。
【００１８】
以上の工程により、二重床が構築される。なお、二重床を施工後、間仕切り１０６が根太ユニット１０５上の床パネル１１１に立設され、間仕切り１０６に石膏ボード等の壁材１１２が取り付けられ、床パネル１１１の上には、図示しない内装用のフローリング等の床材が敷かれる。
【００１９】
図２は、本実施の形態に係る二重床構造に使用する支持脚の一例を示す斜視図である。支持脚１０９は、ゴム等の弾性材料からなる防振台座２０１に下端部が嵌挿された支持ボルト２０２からなる棒状脚部２０３と、所定の厚みを有する平板であって中央部にナット（図示せず）が嵌合された挿入孔２０４を有する受け板２０５とから構成される。受け板２０５のねじ部（挿入孔２０４に嵌合されたナット）に棒状脚部２０３の支持ボルト２０２の上部を螺合させることにより、支持脚１０９が組み立てられる。なお、支持ボルト２０２の上端面にはマイナス溝２０６（プラス溝や多角形凹陥部でもよい）が設けられており、該溝２０６にドライバー等の回転用工具の先端を嵌め込んで棒状脚部２０３の支持ボルト２０２を回転させることにより、床パネル載置面１１０のレベルを調整することができる。また、受け板２０５の床パネル載置面１１０には、床施工時に床パネル１１１が載置され、受け板２０５と床パネル１１１とが釘等で固定される。
【００２０】
図３は、本実施の形態に係る二重床構造に使用する根太ユニットの斜視図である。図４は、本実施の形態に係る二重床構造に使用する根太ユニットの断面図である。根太ユニット１０５は、木材又はその他の材質からなる横長矩形断面の根太３０１と、台座３０２に下端部が嵌挿された支持ボルト３０３からなる複数（望ましくは３本以上）の棒状脚部３０４から構成される。根太３０１には、床パネル載置面１０８の離間した複数の箇所に略垂直に貫通孔３０５が開けられ、この貫通孔３０５に床パネル載置面１０８の反対面３０６から皿付ナット３０７が嵌合され、ナット３０７の皿部３０８が根太３０１にビス止めされる。根太３０１のねじ部（貫通孔３０５に嵌合されたナット３０７）に棒状脚部３０４の支持ボルト３０３の上部を螺合させることにより、根太ユニット１０５が組み立てられる。なお、支持ボルト３０３の上端面３０９にはマイナス溝（プラス溝や多角形凹陥部でもよい）が設けられており、該溝にドライバー等の回転用工具の先端を嵌め込んで棒状脚部３０４の支持ボルト３０３を回転させることにより、床パネル載置面１０８のレベルを調整することができる。また、根太３０１の床パネル載置面１０８には、床施工時に床パネル１１１が載置され、根太３０１と床パネル１１１とが釘等で固定される。
【００２１】
ここで、根太ユニット１０５は耐荷重性を要求されることから、根太３０１の厚み３１０を支持脚１０９の受け板２０６の厚みよりも厚くし、根太ユニット１０５の支持ボルト３０３の径を支持脚１０９の支持ボルト２０２よりも太くする。
【００２２】
このように、本実施の形態によれば、間仕切り１０６等の重量がかかる位置には耐荷重性を有する根太ユニット１０５を配置し、他の位置にはレベル調整が容易な支持脚を配置することにより、床先行工法において、床面の高さ調節を容易に行うことができるメリットを残したまま、間仕切り等の重量に対して十分な強度を有する二重床を構築することができる。
【００２３】
なお、棒状脚部３０４の台座３０２の材質は、十分な強度を持つゴムであっても良く、金属製であっても良い。また、耐せん断力の向上を図る等のために、棒状脚部３０４の台座３０２は、釘、接着剤等によりコンクリートスラブ１０４に固定しても良い。
【００２４】
また、本実施の形態では、壁１０１に際根太１０２を固定する場合について説明したが、本発明はこれに限られず、際根太１０２の代わりに根太ユニット１０５を用いても良い。また、風呂場等の二重床構造にしないエリアとの境目に根太ユニット１０５を用いても良い。ただし、支持脚１０９を使用せず、根太ユニット１０５のみで二重床を構築すると、本実施の形態に比べてレベル調整が難しくなり、材料費等のコストが上がってしまう。
【産業上の利用可能性】
【００２５】
本発明は、マンション等の建築構造物の二重床の施工方法に用いるに好適である。
【図面の簡単な説明】
【００２６】
【図１】本発明の一実施の形態に係る二重床構造の斜視図
【図２】上記実施の形態に係る二重床構造に使用する支持脚の斜視図
【図３】上記実施の形態に係る二重床構造に使用する根太ユニットの斜視図
【図４】上記実施の形態に係る二重床構造に使用する根太ユニットの断面図
【図５】従来の二重床構造の斜視図
【図６】従来の床先行工法による二重床構造の斜視図
【符号の説明】
【００２７】
１０１  壁
１０２  際根太
１０３  束
１０４  コンクリートスラブ
１０５  根太ユニット
１０６  間仕切り
１０９  支持脚
１１１  床パネル
２０１  防振台座
２０２  支持ボルト
２０３  棒状脚部
２０５  受け板
３０１  根太
３０２  台座
３０３  支持ボルト
３０４  棒状脚部
３０７  ナット
【図１】
2005290708.tif 000003
【図２】
2005290708.tif 000004
【図３】
2005290708.tif 000005
【図４】
2005290708.tif 000006
【図５】
2005290708.tif 000007
【図６】
2005290708.tif 000008